(57)【要約】【課題】使い勝手を向上する。【解決手段】折り畳み状態にある工事用シート１０は、該工事用シート１０の中央線で折り返して形成された折り目１４と、この折り目１４を挟んで配置されて、展開状態にある該工事用シート１０において平行する一対の端１６,１６とを備えている。折り目１４および一対の端１６,１６が、折り畳まれた工事用シート１０における同じ側に露出すると共に、一対の端１６,１６よりも折り目１４が出っ張るように配置されている。【選択図】図１
2020101061.tif 000002
【特許請求の範囲】
【請求項１】
矩形状の工事用シートにおける片側半分を、該片側半分の端が該工事用シートの中央線を越えないようにずらして折り返した後、前記片側半分の折り目が該片側半分の端を越えないようにずらして該片側半分を折り返し、更に、前記片側半分を、折り返して形成される折り目が該片側半分の端を越えないようにずらして折り畳む第１ステップと、
前記第１ステップで折り畳んだ前記片側半分が下になるように前記工事用シートの中央線で折り返した後に、残りの片側半分を該第１ステップと同じように折り畳む第２ステップと、
前記第１ステップおよび前記第２ステップを経て得られた長尺体を、その長手方向の中央線を挟む略半分ずつをそれぞれ折り畳んだ後に、折り畳んだ半分同士を重ねるように該長手方向の中央線で折り返す第３ステップと、を備えている
ことを特徴とする工事用シートの折り畳み方法。
【請求項２】
前記第１ステップおよび前記第２ステップにおいて、前記工事用シートの中央線とずらして配置される端を含む縁部に設けられたハトメが露出するように折り畳む請求項１記載の工事用シートの折り畳み方法。
【請求項３】
矩形状に折り畳まれた工事用シートであって、
該工事用シートの中央線で折り返して形成された折り目と、
前記折り目を挟んで配置され、展開状態にある該工事用シートにおいて平行する一対の端と、を備え、
前記折り目および前記一対の端が、折り畳まれた工事用シートにおける同じ側に露出すると共に、該一対の端よりも該折り目が出っ張るように配置されている
ことを特徴とする工事用シート。
【請求項４】
前記端を含む縁部に設けられたハトメが露出している請求項３記載の工事用シート。
【発明の詳細な説明】
【技術分野】
【０００１】
この発明は、工事用シートの折り畳み方法およびこの折り畳み方法で折り畳まれた工事用シートに関するものである。
【背景技術】
【０００２】
ブルーシートなどの工事用シートを折り畳む場合、工事用シートの中央で折り返して端同士を重ね合わせて、重ね合わせたものの中央で折り返して端同士を重ね合わせることを繰り返して、まず一方を折り畳む。こうして得られる長尺体を、その長手方向の中央で折り返して端同士を重ね合わせて、重ね合わせたものの中央で折り返して端同士を重ね合わせることを繰り返して、コンパクトに折り畳まれている。そして、工事用シートは、折り畳んだ状態で流通し、現場に提供されている。
【０００３】
例えば、枠組壁工法は、基礎を構築した後に１階床を施工してから１階外壁および２階を組み立て、最後に屋根を取り付ける順序で建物を作っている。屋根を取り付けられていない施工中の現場で雨が降った場合、１階や２階の床面が濡れてしまうことを回避するため、仮に屋根になるもので覆うことが行われている(例えば、特許文献１および特許文献２参照)。
【先行技術文献】
【特許文献】
【０００４】
【特許文献１】特開２０１３−３６３０６号公報
【特許文献２】特開２０１３−８７６１３号公報
【発明の概要】
【発明が解決しようとする課題】
【０００５】
特許文献１および２に開示の構成は、コストがかかってしまうので、ブルーシート等の工事用シートを屋根代わりに用いられているのが実際のところである。この場合、前述した半分半分に折り畳む方法で折り畳まれた工事用シートであると、工事用シートの中心が判らないので、工事用シートを一旦展開してから、建物に合わせて位置合わせを行う必要があり、使い勝手が悪い。
【０００６】
本発明は、従来の技術に係る前記問題に鑑み、これらを好適に解決するべく提案されたものであって、使い勝手のよい工事用シートの折り畳み方法および工事用シートを提供することを目的とする。
【課題を解決するための手段】
【０００７】
前記課題を克服し、所期の目的を達成するため、本発明に係る工事用シートの折り畳み方法は、
矩形状の工事用シートにおける片側半分を、該片側半分の端が該工事用シートの中央線を越えないようにずらして折り返した後、前記片側半分の折り目が該片側半分の端を越えないようにずらして該片側半分を折り返し、更に、前記片側半分を、折り返して形成される折り目が該片側半分の端を越えないようにずらして折り畳む第１ステップと、
前記第１ステップで折り畳んだ前記片側半分が下になるように前記工事用シートの中央線で折り返した後に、残りの片側半分を該第１ステップと同じように折り畳む第２ステップと、
前記第１ステップおよび前記第２ステップを経て得られた長尺体を、その長手方向の中央線を挟む略半分ずつをそれぞれ折り畳んだ後に、折り畳んだ半分同士を重ねるように該長手方向の中央線で折り返す第３ステップと、を備えていることを要旨とする。
【０００８】
前記課題を克服し、所期の目的を達成するため、本発明に係る工事用シートは、
矩形状に折り畳まれた工事用シートであって、
該工事用シートの中央線で折り返して形成された折り目と、
前記折り目を挟んで配置され、展開状態にある該工事用シートにおいて平行する一対の端と、を備え、
前記折り目および前記一対の端が、折り畳まれた工事用シートにおける同じ側に露出すると共に、該一対の端よりも該折り目が出っ張るように配置されていることを要旨とする。
【発明の効果】
【０００９】
本発明に係る工事用シートの折り畳み方法および工事用シートによれば、使い勝手をよくすることができる。
【図面の簡単な説明】
【００１０】
【図１】本発明の実施例に係る折り畳み状態にある工事用シートを模式的に示す斜視図である。
【図２】実施例の工事用シートを展開状態で示す平面図である。
【図３】実施例の工事用シートの折り畳み工程を模式的に示す説明図であり、(ａ)は平面図であり、(ｂ)は縦端側から見た側面図である。
【図４】実施例の工事用シートの折り畳み工程を模式的に示す説明図であり、(ａ)は平面図であり、(ｂ)は縦端側から見た側面図である。
【図５】実施例の工事用シートの折り畳み工程を模式的に示す説明図であり、(ａ)は平面図であり、(ｂ)は縦端側から見た側面図である。
【図６】実施例の工事用シートの折り畳み工程を模式的に示す説明図であり、(ａ)は平面図であり、(ｂ)は縦端側から見た側面図である。
【図７】実施例の工事用シートの折り畳み工程を模式的に示す平面図である。
【図８】実施例の工事用シートの折り畳み工程を模式的に示し、縦端側から見た側面図である。
【図９】実施例の工事用シートの折り畳み工程において得られる長尺体を模式的に示す斜視図である。
【図１０】実施例の工事用シートの折り畳み工程を模式的に示す説明図であり、(ａ)は平面図であり、(ｂ)は横端側から見た側面図である。
【図１１】実施例の工事用シートの折り畳み工程を模式的に示す説明図であり、(ａ)は平面図であり、(ｂ)は横端側から見た側面図である。
【発明を実施するための形態】
【００１１】
次に、本発明に係る工事用シートの折り畳み方法および工事用シートにつき、好適な実施例を挙げて、添付図面を参照して以下に説明する。
【実施例】
【００１２】
図２に示すように、実施例に係る工事用シート１０は、１枚に広げた展開状態において正方形であり、４辺の縁部のそれぞれに、複数のハトメ１２が所定間隔で設けられている所謂ブルーシートである。工事用シート１０において、横方向中央を縦方向へ通って、展開したときの基準となる仮想ラインを基準中央線(中央線)Ｃといい、基準中央線Ｃと平行する端を横端１６といい、基準中央線Ｃと交差する端を縦端１８という。
【００１３】
図１に示すように、工事用シート１０は、矩形状に折り畳まれた折り畳み状態が荷姿であり、この折り畳み状態で搬送されて、工事現場などの使用場所に提供される。折り畳み状態にある工事用シート１０は、該工事用シート１０の基準中央線Ｃ(図２参照)で折り返して形成された中央折り目(折り目)１４と、中央折り目１４を挟んで配置されて、展開状態にある該工事用シート１０において平行する一対の横端(端)１６,１６とを備えている。折り畳み状態の工事用シート１０は、中央折り目１４および該中央折り目１４を挟む一対の横端１６,１６が、折り畳まれた工事用シート１０における同じ側面に露出すると共に、一対の横端１６,１６よりも中央折り目１４が出っ張るように配置されている。また、折り畳み状態の工事用シート１０は、横端１６を含む縁部に設けられたハトメ１２が露出している。
【００１４】
次に、折り畳み状態において、中央折り目１４が一対の横端１６,１６の間から出っ張って配置される工事用シート１０の折り畳み方法について、図３〜図１１を参照して説明する。
【００１５】
（第１ステップ）
図３に示すように、第１ステップの第１段階において、矩形状の工事用シート１０における片側半分を、該片側半分の横端１６が該工事用シート１０の基準中央線Ｃを越えないようにずらして折り返す。図４に示すように、第１ステップの第２段階において、第１段階で形成された片側半分の横折り目(折り目)２０が該片側半分の横端１６を越えないようにずらして、工事用シート１０における片側半分を折り返す。第２段階では、工事用シート１０の基準中央線Ｃとずらして配置される横端１６を含む縁部に設けられたハトメ１２が露出するように折り畳む。更に、図５に示すように、第１ステップの第３段階において、工事用シート１０における片側半分を、折り返して形成される横折り目(折り目)２０が該片側半分の横端１６を越えないようにずらして折り畳む。実施例の第３段階では、工事用シート１０を巻くように折り返して、第３段階で形成される内側の横折り目２０を、第２段階で横端１６とずらして配置された横折り目２０と揃うように配置している。このように、第２段階および第３段階では、工事用シート１０における片側半分を折り返す際に、第１段階で基準中央線Ｃに沿わせて配置された横端１６を含む縁部に設けられたハトメ１２に重ならないように折り畳まれる。なお、第１ステップでは、工事用シート１０の折り返した片側半分は、縦端１８同士を揃えて重ねている。
【００１６】
（第２ステップ）
図６に示すように、第２ステップでは、第１ステップで折り畳んだ片側半分が下になるように工事用シート１０の基準中央線Ｃで折り返す。次に、図７および図８に示すように、工事用シート１０における残りの片側半分を第１ステップと同じように折り畳む。これにより、図９に示すように、工事用シート１０が横方向に折り畳まれて、縦方向に長い長尺体２２になる。このとき、長尺体２２は、基準中央線Ｃで折り曲げて形成された中央折り目１４を上下に挟んで一対の横端１６,１６が中央折り目１４からずらして配置されて、各横端１６からずらして横折り目２０が配置されている。また、長尺体２２は、中央折り目１４および一対の横端１６,１６が該長尺体２２における同じ側に配置される。更に、長尺体２２は、中央折り目１４が一対の横端１６,１６よりも出っ張ると共に、一対の横端１６,１６が横折り目２０よりも出っ張っている。
【００１７】
（第３ステップ）
図１０に示すように、第３ステップの第１段階において、前記第１ステップおよび前記第２ステップを経て得られた長尺体２２を、その長手方向の縦中央線(中央線)２４を挟む略半分ずつをそれぞれ折り畳む。実施例の長尺体２２は、略半分を内側から山折り・谷折りを繰り返す所謂蛇腹折りで折り畳んでおり、略半分の折り畳み部分同士の間隔をあけている。図１１に示すように、第３ステップの第２段階において、第１段階で折り畳んだ半分同士を重ねるように、縦中央線(中央線)２４で折り返すことで、工事用シート１０は前述した折り畳み状態になる。
【００１８】
次に、前述した折り畳み状態にある工事用シート１０の使用方法について説明する。第３ステップの第２段階で折った縦中央線２４を、工事用シート１０を展開したときの中心としたい位置に置く。次に、蛇腹折りにした長尺体２２の半分ずつを、縦中央線２４を基準としてそれぞれ展開する。長尺体２２の一側面に出っ張っている中央折り目１４を、工事用シート１０を展開したときの中心としたい位置に合わせる。長尺体２２における同じ一側面に配置されている一対の横端１６,１６を持って、中央折り目１４を基準として、第１ステップおよび第２ステップで折り畳んだ部分をそれぞれ展開する。これにより、展開状態にある工事用シート１０を、配置したい位置に中心を合わせて簡単に敷設することができる。
【００１９】
前述した折り畳み状態にある工事用シート１０は、展開状態になったときに中心となる位置が判り易いので、位置合わせを簡単に行うことができる。すなわち、建築中の建物に対して屋根代わりに敷設するときなど、足場が不安定な状態であっても、位置合わせを簡単にでき、工事用シート１０を展開した後に位置調節する手間を省くことができる。また、基準中央線Ｃを折った中央折り目１４と対となる横端１６,１６が同じ側面に位置しているので判り易く、中央折り目１４が出っ張っているので、基準中央線Ｃを簡単に判別することができる。しかも、一対の横端１６,１６も他の横折り目２０より出っ張って露出しているので、横端１６を簡単に掴むことができる。しかも、横端１６に沿って設けられたハトメ１２も、他の横折り目２０よりずれて露出しているので、ハトメ１２へ紐を結びつけたりするなどの作業も行い易い。このように、前述した折り畳み状態にある工事用シート１０は、使い勝手に非常に優れている。
【００２０】
（変更例）
前述した構成に限らず、例えば以下のように変更してもよい。
(１)工事用シートとして、ブルーシートを例示したが、防音シート、塗装用シート、防炎シートなど、その他のシートやメッシュであってもよい。
(２)第３ステップでは、蛇腹折りを例示したが、巻くように折り畳むなど、その他の折り畳み方法であってもよい。
(３)工事用シートは、正方形に限らず、長方形などであってもよい。
【符号の説明】
【００２１】
１０ 工事用シート，１２ ハトメ，１６ 横端(端)，２０ 横折り目(折り目)，
２２ 長尺体，２４ 縦中央線(中央線)，Ｃ 基準中央線(中央線)
【図１】
2020101061.tif 000003
【図２】
2020101061.tif 000004
【図３】
2020101061.tif 000005
【図４】
2020101061.tif 000006
【図５】
2020101061.tif 000007
【図６】
2020101061.tif 000008
【図７】
2020101061.tif 000009
【図８】
2020101061.tif 000010
【図９】
2020101061.tif 000011
【図１０】
2020101061.tif 000012
【図１１】
2020101061.tif 000013